(57)【要約】【課題】段板設置時の作業性を改善し、しかも段板設置後における外観上の品質の低下を抑制する。【解決手段】住宅等の壁部Ｗには支持金物２０が固定される。この支持金物２０は、壁部Ｗから起立した状態で該壁部Ｗに固定されるベース金具２１と、そのベース金具２１において壁部Ｗから離れた位置に連結され上方に延びる弾性変形部２２ｃを有する結合金具２２とを具備する。そして、段板１０をベース金具２１上に載置するとともに、段板１０の下面側に形成した所定深さの結合穴１１に、支持金物２０の結合金具２２を弾性変形させた状態で差し入れるようにした。【選択図】      図２
2007154611.tif 000002
【特許請求の範囲】
【請求項１】
住宅等の壁部に段板を設置する段板設置構造であって、
前記壁部から起立した状態で該壁部に固定されるベース金具と、そのベース金具において前記壁部から離れた位置に連結され上方に延びる弾性変形部を有する結合金具と、を具備してなる段板支持部材を備え、
前記段板の下面側に形成した所定深さの穴部に、前記段板支持部材の結合金具を弾性変形させた状態で差し入れたことを特徴とする段板設置構造。
【請求項２】
前記結合金具の弾性変形部において、前記段板に形成した穴部の内壁との接触部分に防振部材を取り付けたことを特徴とする請求項１に記載の段板設置構造。
【請求項３】
前記結合金具の弾性変形部を所定間隔を隔てて下方に折り返して成形し、その折り返し部分の変形を伴う状態で前記段板の穴部に前記結合金具を差し入れたことを特徴とする請求項１又は２に記載の段板設置構造。
【請求項４】
前記段板の下面に、前記穴部の開口の一部を塞ぐための金属板を取り付け、該金属板による開口塞ぎ部分にて前記弾性変形部の折り返し先端部を係止させる構成としたことを特徴とする請求項３に記載の段板設置構造。
【請求項５】
住宅等の壁部に段板を設置する段板設置構造であって、
前記壁部から起立した状態で該壁部に固定され、かつ前記壁部から離れた位置にて上方に延びる結合部が形成された支持金具と、
前記段板の下面側に形成した所定深さの穴部に装着され、前記支持金具を差し入れるための空間部を形成する弾性変形部材と、
を備え、
前記段板を前記支持金具上に載置するとともに、前記弾性変形部材を弾性変形させた状態で前記空間部に前記支持金具の結合部を差し入れたことを特徴とする段板設置構造。
【請求項６】
前記弾性変形部材を分離可能な２片の弾性体により構成し、該２片の弾性体の間に先細り形状の空間部を形成し、該空間部に前記支持金具の結合部を差し入れるようにしたことを特徴とする請求項５に記載の段板設置構造。
【請求項７】
前記壁部と前記段板の側面との間に隙間を設けたことを特徴とする請求項１乃至６のいずれかに記載の段板設置構造。
【請求項８】
請求項１乃至７のいずれかに記載の段板設置構造を用いて施工された階段を有することを特徴とする建物。
【発明の詳細な説明】
【技術分野】
【０００１】
本発明は、住宅等の壁部に段板を設置する段板設置構造及び建物に関するものである。
【背景技術】
【０００２】
住宅等では階下と階上とを結ぶ階段が設けられており、その階段構造として、所定間隔を隔てて設けられる左右一対の側板（ささら桁）や壁部に支持金具を固定するとともに、その支持金具上に段板を多段に設置する構造が知られている（例えば特許文献１参照）。具体的には、図１０の（ａ）に示すように、階段設置箇所における壁部Ｗに断面Ｌ字状の支持金具７１が固定され、その支持金具７１上に段板７０が設置される。この場合、壁部Ｗと支持金具７１との固定は固定ネジ７２により行われ、段板７０と支持金具７１との固定は固定ネジ７３により行われる。
【０００３】
しかしながら、上記構造では、段板設置の作業性が悪いといった問題があった。つまり、段板設置時には通常は電動式ドライバ等の締付装置を用いてネジ締め作業が行われるが、例えば最下段では段板７０と床面Ｆとの間の間隔（図のＡ寸法）が比較的狭いため、電動ドライバ等の締付装置を上向きにしてネジ締め作業を行うことができない。それ故に、段板７０と支持金具７１とを固定するための固定ネジ７３の締め付け作業が極めて困難なものとなってしまう。
【０００４】
一方で、図１０の（ｂ）に示すように、壁部Ｗに断面Ｌ字状の支持金具８１を固定ネジ８２により固定し、かつ段板７０の下面に平板状の支持金具８３を固定ネジ８４により固定するとともに、それら２つの支持金具８１，８３を壁部Ｗと段板７０の側面との間の隙間を利用して固定ネジ８５により連結する構造が考えられる。かかる構造では、段板設置時における最終的なネジ締め作業は固定ネジ８５に対して行われ、当該作業は電動ドライバ等の締付装置を用いて上方より行うことができる。そのため、図１０の（ａ）で説明したような作業性悪化の問題が解消される。
【０００５】
しかしながら、上記図１０の（ｂ）の場合には、作業性の改善が可能となるものの、段板設置後において壁部Ｗと段板７０の側面との間の隙間を通じて固定ネジ８５が見えてしまい、見栄えの点で望ましい構成でないという問題が生じる。
【特許文献１】特開２００５−２７３１９３号公報
【発明の開示】
【発明が解決しようとする課題】
【０００６】
本発明は、段板設置時の作業性を改善し、しかも段板設置後における外観上の品質の低下を抑制することができる段板設置構造及び建物を提供することを主たる目的とするものである。
【課題を解決するための手段】
【０００７】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００８】
本発明は、住宅等の壁部（壁部Ｗ）に段板（段板１０）を設置するための段板設置構造に関する。その特徴として、壁部から起立した状態で該壁部に固定されるベース金具（ベ
ース金具２１）と、そのベース金具において前記壁部から離れた位置に連結され上方に延びる弾性変形部（弾性変形部２２ｃ）を有する結合金具（結合金具２２）と、を具備する段板支持部材（支持金物２０）を備える。そして、段板の下面側に形成した所定深さの穴部（結合穴１１）に、段板支持部材の結合金具を弾性変形させた状態で差し入れるようにした。なお、段板を段板支持部材上に段板を載置する際には、ベース金具上に段板が載置されると良い。
【０００９】
上記構成によれば、段板支持部材上に段板を載置する際に結合金具が段板の穴部内に差し入れられ、その際結合金具が弾性変形することで段板及び段板支持部材の結合と段板の位置固定とがなされる。この場合、段板支持部材上に段板を載置した後において、段板の下面側からのネジ締め等の作業が不要となる。そのため、最下段の段板を設置する際などにおいて段板の下方スペースが小さい場合にもその設置作業が困難になることを回避することができる。またこの場合、上方よりネジ等の締結部材が見えることはなく、見栄えの悪化が抑制される。以上により、段板設置時の作業性を改善し、しかも段板設置後における外観上の品質の低下を抑制することができる。
【００１０】
なお、本明細書等において、「段板」は階段を設置するために多数段で設置される板部材に限らず、１段又は２段程度で設置されるものも含むこととし、その意味では「踏み板」と言うこともできる。
【００１１】
結合金具の弾性変形部において、段板に形成した穴部の内壁との接触部分に防振部材（防振ゴム２３）を取り付けると良い。この場合、防振部材によって段板の位置ズレ等を防ぐことができる。また、段板と結合金具との間で生じる騒音が防止できる。
【００１２】
また、結合金具の弾性変形部を所定間隔を隔てて下方に折り返して成形し、その折り返し部分の変形を伴う状態で段板の穴部に結合金具を差し入れると良い。この場合、弾性変形部の折り返し部分の変形により、段板と段板支持部材との結合をより強固なものとすることができる。
【００１３】
ここで、段板の下面に、前記穴部の開口の一部を塞ぐための金属板（金属板３０）を取り付け、該金属板による開口塞ぎ部分にて前記弾性変形部の折り返し先端部を係止させると良く、これにより段板の抜け落ちを防止することができる。
【００１４】
一方、第２の発明では、住宅等の壁部（壁部Ｗ）から起立した状態で該壁部に固定され、かつ前記壁部から離れた位置にて上方に延びる結合部（結合部４０ｃ）が形成された支持金具（支持金具４０）と、段板の下面側に形成した所定深さの穴部（結合穴１１）に装着され、前記支持金具を差し入れるための空間部（空間部ＳＰ）を形成する弾性変形部材（弾性ブロック４５）と、を備える。そして、段板を支持金具上に載置するとともに、弾性変形部材を弾性変形させた状態で前記空間部に支持金具の結合部を差し入れるようにした。
【００１５】
上記構成によれば、支持金具上に段板を載置する際に、段板の穴部内において弾性変形部材により形成された空間部に支持金具の結合部が差し入れられ、その際弾性変形部材が弾性変形することで段板及び支持金具の結合と段板の位置固定とがなされる。この場合、支持金具上に段板を載置した後において、段板の下面側からのネジ締め等の作業が不要となる。そのため、最下段の段板を設置する際などにおいて段板の下方スペースが小さい場合にもその設置作業が困難になることを回避することができる。またこの場合、上方よりネジ等の締結部材が見えることはなく、見栄えの悪化が抑制される。以上により、段板設置時の作業性を改善し、しかも段板設置後における外観上の品質の低下を抑制することができる。
【００１６】
ここで、前記弾性変形部材を分離可能な２片の弾性体（弾性体４６，４７）により構成し、該２片の弾性体の間に先細り形状の空間部を形成するとともに、該空間部に前記支持金具の結合部を差し入れるようにすると良い。この場合、空間部は先細り形状に形成されているため、該空間部に支持金具の結合部を差し入れる際に、その差し入れ作業が容易となる。
【００１７】
また、段板設置構造において、壁部と段板の側面との間に隙間（隙間ＳＡ）を設けると良い。この場合、壁部と段板の側面との間の隙間によって、壁部と段板とからなる隅角部に埃やゴミ等が溜まるといった問題が解消される。また、外観上の向上を図ることも可能となる。
【００１８】
そして、上記の段板設置構造を用いて施工された階段を住宅等の建物に採用することにより、好適なる建物の提供が可能となる。
【発明を実施するための最良の形態】
【００１９】
［第１の実施の形態］
以下、本発明を具体化した第１の実施の形態を図面に基づいて説明する。図１に示すように、住宅内において階段設置場所には、所定間隔で左右の壁部Ｗが設けられており、その左右の壁部Ｗを繋ぐようにして複数の段板１０が段違いに固定されている。本実施の形態では、段板１０は各々個別に左右の壁部Ｗに固定される構成となっている。
【００２０】
次に、段板１０の設置構造について図２等を用いて説明する。図２は壁部Ｗに固定した支持金物２０上に段板１０を設置した状態を示す要部断面図、図３は壁部Ｗに支持金物２０を固定した状態を示す斜視図、図４は支持金物２０の構成部品を分解して示す分解斜視図、図５は段板１０を下面側から見た斜視図、図６は段板１０の設置手順を説明するための図である。
【００２１】
段板１０の下面側には、下方に開放され、開口が矩形状をなす結合穴１１が形成されている。結合穴１１は、段板１０の左右両端部付近に各々複数（例えば２カ所ずつ）形成されており、各結合穴１１に支持金物２０が差し込まれることにより当該段板１０が固定されるようになっている。左右両端部付近における各々複数の結合穴１１は、前後方向に並べて形成されている。
【００２２】
また、段板１０の下面には、結合穴１１に対応する２つの孔部３１を有する金属板３０が接合されている。金属板３０において孔部３１の開口は結合穴１１よりも僅かに小さいものとなっており、図２に示すように、段板１０の下面に金属板３０を接合した状態では結合穴１１の開口の一部が金属板３０により塞がれるようになっている。
【００２３】
支持金物２０は、壁部Ｗから起立した状態で当該壁部Ｗに固定されるベース金具２１と、このベース金具２１において壁部Ｗから離れた位置にて連結される結合金具２２と、結合金具２２の上部に取り付けられる防振ゴム２３とを備えて構成されている。ベース金具２１は比較的剛性の高い金属材料よりなり、クランク状に折り曲げ形成されている。ベース金具２１において、基端部である壁固定部２１ａには貫通孔２１ｂが上下２カ所に形成されており、この貫通孔２１ｂにネジ２５が挿通されてベース金具２１が壁部Ｗに固定されるようになっている。また、ベース金具２１において、結合金具２２との連結部となる連結板部２１ｃには貫通孔２１ｄが左右２カ所に形成されている。
【００２４】
一方、結合金具２２は高弾性の金属材料よりなり、その接合固定部２２ａにはベース金具２１側の貫通孔２１ｄに対応するようにして貫通孔２２ｂが左右２カ所に設けられてい
る。ベース金具２１の連結板部２１ｃと結合金具２２の接合固定部２２ａとを重ね合わせた状態で貫通孔２１ｄ，２２ｂにネジ２６が挿通されることによりベース金具２１及び結合金具２２が一体化されるようになっている。結合金具２２において、接合固定部２２ａよりも上方部位は弾性変形部２２ｃとなっており、その弾性変形部２２ｃは、図示のとおり接合固定部２２ａから上方に延びるとともに所定間隔を隔てて下方に折り返して成形されている。
【００２５】
防振ゴム２３は、結合金具２２の弾性変形部２２ｃとほぼ同じ長さ寸法の弾性シート板よりなり、弾性変形部２２ｃに被せるようにして設けられている。このとき、防振ゴム２３は、弾性変形部２２ｃに対して接着剤や両面テープ等の接着手段により接着されている。
【００２６】
支持金物２０上に段板１０を設置した状態では、図２に示すように、壁部Ｗと段板１０の側面との間に隙間ＳＡが設けられるようになっている。この場合、隙間ＳＡによって、壁部Ｗと段板１０とからなる隅角部に埃やゴミ等が溜まるといった問題が解消される。また、外観上の向上を図ることも可能となる。具体的には、段板１０においてその側面から結合穴１１までの長さ寸法をＬ１、壁部Ｗに対する支持金物２０の起立方向の長さ寸法をＬ２とした時、Ｌ１＜Ｌ２とすることで、壁部Ｗと段板１０の側面との間に隙間ＳＡが形成される。このとき、隙間ＳＡの幅寸法は例えば３〜４ｃｍ程度である。
【００２７】
住宅等において階段の施工に際しては、図６の（ａ）に示すように、まずベース金具２１と結合金具２２とをネジ２６により一体化して作製した支持金物２０を用意し、その支持金物２０をネジ２５により壁部Ｗの所定位置に固定する。このとき、１つの段板１０に対し、段板１０の結合穴１１の位置に合わせて左右２つずつの支持金物２０が取付固定される。そして次に、あらかじめ下面に金属板３０を接合した段板１０を用意し、その段板１０を支持金物２０上に設置する。
【００２８】
このとき、図６の（ｂ）に示すように、段板１０の各結合穴１１に支持金物２０の結合金具２２（弾性変形部２２ｃ）が差し込まれ、それに伴い弾性変形部２２ｃが弾性変形する。そして、段板１０の下面（本実施の形態では特に金属板３０）がベース金具２１に当接すると、段板１０の設置が完了する。図２は段板１０の設置完了状態である。その設置完了状態では、結合金具２２（弾性変形部２２ｃ）が弾性変形状態で保持されるため、結合金具２２（弾性変形部２２ｃ）の外周側に接着された防振ゴム２３が結合穴１１の内壁に押し当てられる。このとき、弾性変形部２２ｃの弾性変形と防振ゴム２３の防振作用によって、段板１０及び支持金物２０の結合と段板１０の位置固定とがなされる。
【００２９】
また、設置完了状態では、弾性変形部２２ｃの折り返し先端部が金属板３０の開口塞ぎ部分に係止される。これにより、段板１０の抜け落ちが防止される。
【００３０】
以上詳述した本実施の形態の段板設置構造によれば、段板１０を支持金物２０上に載置した後において、段板１０の下面側からのネジ締め等の作業が不要となる。そのため、最下段の段板１０を設置する際などにおいて段板１０の下方スペースが小さい場合にもその設置作業が困難になることを回避することができる。つまり、本設置構造は、最下段の段板１０を設置する場合に特に好適な設置構造であると言える。またこの場合、隙間ＳＡ等を介して上方よりネジ等の締結部材が見えることはなく、見栄えの悪化が抑制される。以上により、段板設置時の作業性を改善し、しかも段板設置後における外観上の品質の低下を抑制することができる。
【００３１】
結合金具２２の弾性変形部２２ｃにおいて、段板１０の結合穴１１の内壁との接触部分に防振ゴム２３を取り付けたため、その防振作用によって段板１０の位置ズレや騒音の発
生などを防ぐことができる。
【００３２】
また、結合金具２２の弾性変形部２２ｃを下方に折り返して成形し、その折り返し部分の変形を伴う状態で段板１０の結合穴１１に結合金具２２（弾性変形部２２ｃ）を差し入れるようにしたため、段板１０と支持金物２０との結合をより強固なものとすることができる。
【００３３】
［第２の実施の形態］
次に、第２の実施の形態について説明する。図７は壁部Ｗに固定した支持金具４０上に段板１０を設置した状態を示す要部断面図、図８は段板１０の結合穴１１に組み付けられる弾性ブロック４５を示す斜視図、図９は段板１０の設置手順を説明するための図である。
【００３４】
支持金具４０は、壁部Ｗから起立した状態で当該壁部Ｗに固定される金具部材であり、比較的剛性の高い金属材料よりクランク状に折り曲げ形成されている。支持金具４０において、基端部である壁固定部４０ａには貫通孔４０ｂが上下２カ所に形成されており、この貫通孔４０ｂにネジ４２が挿通されて支持金具４０が壁部Ｗに固定されるようになっている。また、支持金具４０において壁部Ｗから離れた位置には、壁部Ｗに平行な部位が形成されており、その部位が段板１０側に結合される結合部４０ｃとなっている。
【００３５】
また、弾性ブロック４５は、互いに同形状をなす２片の弾性体４６，４７により構成されており、互いに対向する内面部４６ａ，４７ａはテーパ状に形成されている。この場合、両弾性体４６，４７が接合されることにより、両弾性体４６，４７の間に先細り形状の空間部ＳＰが形成されるようになっている。弾性ブロック４５の上面部の面積は段板１０の結合穴１１の開口面積にほぼ等しく、弾性ブロック４５の高さ寸法は結合穴１１の深さ寸法に等しくなっている。弾性ブロック４５は、段板１０の結合穴１１に対して接着剤や両面テープ等の接着手段により接着されている。
【００３６】
住宅等において階段の施工に際しては、図９の（ａ）に示すように、まず支持金具４０をネジ４２により壁部Ｗの所定位置に固定する。このとき、１つの段板１０に対し、段板１０の結合穴１１の位置に合わせて左右２つずつの支持金具４０が取付固定される。そして次に、結合穴１１に弾性ブロック４５を装着した段板１０を用意し、その段板１０を支持金具４０上に設置する。
【００３７】
このとき、図９の（ｂ）に示すように、弾性ブロック４５の空間部ＳＰに支持金具４０の結合部４０ｃが差し込まれ、それに伴い弾性ブロック４５が弾性変形する。そして、段板１０の下面が支持金具４０に当接すると、段板１０の設置が完了する。ここで、空間部ＳＰは先細り形状に形成されているため、該空間部ＳＰに支持金具４０の結合部４０ｃを差し入れる際にその差し入れ作業が容易となっている。図７は段板１０の設置完了状態である。その設置完了状態では、弾性ブロック４５を弾性変形させた状態で支持金具４０の結合部４０ｃが保持され、それにより、段板１０及び支持金具４０が確実に結合されるとともに、段板１０の位置ずれが防止されるようになっている。
【００３８】
以上第２の実施の形態によれば、段板１０を支持金具４０上に載置した後において、段板１０の下面側からのネジ締め等の作業が不要となる。そのため、上記第１の実施の形態と同様に、最下段の段板１０を設置する際などにおいて段板１０の下方スペースが小さい場合にもその設置作業が困難になることを回避することができる。またこの場合、隙間ＳＡ等を介して上方よりネジ等の締結部材が見えることはなく、見栄えの悪化が抑制される。以上により、段板設置時の作業性を改善し、しかも段板設置後における外観上の品質の低下を抑制することができる。
【００３９】
なお、本発明は上記実施の形態の記載内容に限定されず、例えば次のように実施しても良い。
【００４０】
上記第１の実施の形態では、ベース金具２１をクランク状に折り曲げ形成し、壁部Ｗと平行となる連結板部２１ｃに結合金具２２を連結したが（図４等参照）、これを変更する。例えば、ベース金具２１をＬ字状とし、基端部である壁固定部と、その壁固定部から垂直方向に起立する起立部とを有する構成とする。そして、その起立部（壁部Ｗに対して垂直な部分）に結合金具２２を連結する構成としても良い。
【００４１】
上記第１の実施の形態では、１つのベース金具２１と同じく１つの結合金具２２とにより支持金物２０を構成したが、これを変更し、１つのベース金具２１に対して２つの結合金具を組み合わせて支持金物２０を構成するようにしても良い。すなわち、ベース金具を横長形状に形成し、そのベース金具に２つの支持金物を取り付ける。この場合、ベース金具に対して取り付けられる支持金物は２つに限られず、広義には複数の支持金物が取り付けられるものであれば良い。上記構成により、壁部Ｗに対する支持金物の取付作業の容易化を図ることができる。第２の実施の形態に関しても、段板１０の複数の結合穴１１に対して支持金具４０を共用化することも可能である。
【００４２】
上記第１の実施の形態では、段板１０の下面に、結合穴１１に対応する２つの孔部３１を有する金属板３０を接合したが、金属板３０を設けた主たる目的は結合穴１１の開口の一部を塞ぐことであり、その目的からすれば、金属板３０は必ずしも孔部３１を有するものでなくとも良い。
【００４３】
上記第２の実施の形態では、弾性ブロック４５を分離可能な２片の弾性体４６，４７により構成したが、これを変更し、一体の弾性体により構成することも可能である。例えば、上記構成における２片の弾性体４６，４７の接合部分を一体化し、分離不可能な構成とする。また、全体として直方体状をなすブロック片に、支持金具４０の結合部４０ｃの大きさに合わせて凹み部（実際には、結合部４０ｃよりも僅かに小さい凹み部）を形成する。そして、その凹み部分にて先細り状の空間部を形成し、その空間部に支持金具を差し入れる構成とする。
【００４４】
上記各実施の形態では、壁部Ｗと段板１０の側面との間に隙間ＳＡを設ける構成としたが、その隙間ＳＡは任意であり、隙間ＳＡのない構造としても良い。
【００４５】
上記各実施の形態では、複数の段板１０を段違いに設置することで階段を施工する場合についての実施事例を説明したが、本発明の段板設置構造を他に応用することも可能である。例えば、住宅の玄関や勝手口などの上がり口の段差部分に取り付ける踏み板（上がり框）などの設置構造としての適用も可能である。
【図面の簡単な説明】
【００４６】
【図１】階段構造を示す斜視図。
【図２】第１の実施の形態において支持金物上に段板を設置した状態を示す要部断面図。
【図３】第１の実施の形態において内壁に支持金物を固定した状態を示す斜視図。
【図４】第１の実施の形態において支持金物の構成部品を分解して示す分解斜視図。
【図５】段板を下面側から見た斜視図。
【図６】第１の実施の形態において段板の設置手順を説明するための図。
【図７】第２の実施の形態において支持金具上に段板を設置した状態を示す要部断面図。
【図８】第２の実施の形態において支持金具及び弾性ブロック等を示す分解斜視図。
【図９】第２の実施の形態において段板の設置手順を説明するための図。
【図１０】従来技術における段板設置構造の問題点を説明するための図。
【符号の説明】
【００４７】
１０…段板、１１…結合穴、２０…支持金物、２１…ベース金具、２２…結合金具、２２ｃ…弾性変形部、２３…防振ゴム、３０…金属板、４０…支持金具、４０ｃ…結合部、４５…弾性ブロック、４６，４７…弾性体、ＳＡ…隙間、ＳＰ…空間部。
【図１】
2007154611.tif 000003
【図２】
2007154611.tif 000004
【図３】
2007154611.tif 000005
【図４】
2007154611.tif 000006
【図５】
2007154611.tif 000007
【図６】
2007154611.tif 000008
【図７】
2007154611.tif 000009
【図８】
2007154611.tif 000010
【図９】
2007154611.tif 000011
【図１０】
2007154611.tif 000012